(57)【要約】【課題】ＥＭＩ発生源を遮蔽しつつ、簡単に光源ランプの交換を行うことができる電子機器用蓋材、電子機器筐体およびプロジェクタを提供することにある。【解決手段】本発明の蓋部材１６は、外装ケースに取り付けられる電子機器用蓋材であり、蓋部材本体１６１と、この蓋部材本体１６１内側に設けられ、電磁波を遮蔽するシールド板１６２とを備え、このシールド板１６２には、外装ケースに取り付ける際に用いる取付ねじ１６３の脱落を防止する脱落防止部１６２１が形成されている。【選択図】  図１２
2004205714.tif 000002
【特許請求の範囲】
【請求項１】
電子機器筐体に取り付けられる電子機器用蓋材であって、
蓋材本体と、この蓋材本体内側に設けられ、電磁波を遮蔽するシールド板とを備え、
このシールド板には、該電子機器筐体に取り付ける際に用いる取付部材の脱落を防止する脱落防止部が形成されていることを特徴とする電子機器用蓋材。
【請求項２】
請求項１に記載の電子機器用蓋材において、
前記取付部材は、前記電子機器筐体に形成されたねじ孔と螺合する螺合構造を有し、
前記脱落防止部は、前記取付部材が挿入される挿入孔と、前記挿入孔の中心に向かって形成されるとともに、前記取付部材と螺合する突起部とを備えることを特徴とする電子機器用蓋材。
【請求項３】
請求項１または請求項２に記載の電子機器用蓋材を備えることを特徴とする電子機器筐体。
【請求項４】
請求項３に記載の電子機器筐体において、
前記電子機器用蓋材は、該電子機器筐体に設けられる電磁シールド材に当接していることを特徴とする電子機器筐体。
【請求項５】
請求項３または請求項４に記載の電子機器筐体を備えることを特徴とするプロジェクタ。
【発明の詳細な説明】
【０００１】
【発明の属する技術分野】
本発明は、電子機器筐体に取り付けられる電子機器用蓋材、電子機器筐体およびプロジェクタに関する。
【０００２】
【背景技術】
従来より、会議、学会、展示会等でのプレゼンテーションにプロジェクタを用いることが知られている。
【０００３】
このようなプロジェクタとして、合成樹脂製の筐体に収納されたものがある。
ここで、筐体を合成樹脂とした場合、プロジェクタを構成する光源装置、電源回路、光源駆動回路等は、ＥＭＩ（ＥlectroＭagnetic Ｉnterference、電磁干渉）の発生源となるため、筐体内部には電磁シールド材を設ける必要がある（例えば、特許文献１）。
一方、このようなプロジェクタには、光源ランプが破損した場合のランプ交換用に筐体の一部を開口して、この開口部を蓋部材で塞ぐ構造が採用されている。
【０００４】
【特許文献１】
特開２００２−３５０９７８公報（段落番号００２２、図３）
【０００５】
【発明が解決しようとする課題】
しかしながら、このような特許文献１では、筐体内の電磁シールド材で装置本体の全周を覆う構成とすると、開口部が電磁シールド材で内側から塞がれることとなるため、蓋部材を取り外すだけでは、光源ランプの交換をうまく行えない可能性がある。
また、蓋の部分を回避するように、電磁シールド材を設けることも考えられるが、ＥＭＩ対策上は、なるべくＥＭＩ発生源を遮蔽するような構造とするのが好ましい。
【０００６】
本発明の目的は、ＥＭＩ発生源を遮蔽しつつ、簡単に光源ランプの交換を行うことができる電子機器用蓋材、電子機器筐体およびプロジェクタを提供することにある。
【０００７】
【課題を解決するための手段】
本発明の電子機器用蓋材は、電子機器筐体に取り付けられる電子機器用蓋材であって、蓋材本体と、この蓋材本体内側に設けられ、電磁波を遮蔽するシールド板とを備え、このシールド板には、該電子機器筐体に取り付ける際に用いる取付部材の脱落を防止する脱落防止部が形成されていることを特徴とする。
【０００８】
この発明によれば、電子機器用蓋材にシールド板を備えることにより、このシールド板が蓋の部分に対応するＥＭＩ発生源を遮蔽することができる。また、蓋部材を取り外すだけで、光源ランプ等が配置されている部分を開口でき、簡単に光源ランプの交換を行うことができる。
【０００９】
本発明では、前記取付部材は、前記電子機器筐体に形成されたねじ孔と螺合する螺合構造を有し、前記脱落防止部は、前記取付部材が挿入される挿入孔と、前記挿入孔の中心に向かって形成されるとともに、前記取付部材と螺合する突起部とを備えるのが好ましい。
この発明によれば、この電子機器用蓋材を電子機器筐体から取り外す際に、取付部材を挿入孔から抜き出す方向に移動させ、電子機器用蓋材に取り付けられた取付部材と電子機器筐体との螺合が解除される。そして、抜き出す方向に移動した取付部材は、挿入孔から抜ききらないうちに突起部に係止されるので、取付部材が脱落することがない。
【００１０】
本発明の電子機器筐体は、前述の電子機器用蓋材を備えることを特徴とする。
この発明によれば、前述と同様の作用・効果を得ることができる。
【００１１】
本発明では、前記電子機器用蓋材は、該電子機器筐体に設けられる電磁シールド材に当接しているのが好ましい。
この発明によれば、電子機器用蓋材は、電子機器筐体に設けられる電磁シールド材に当接していることで、装置本体のＥＭＩ発生源から発生する電磁波を電子機器用蓋材で吸収し、電磁シールド材に逃がすことができ、確実にＥＭＩ対策を行うことができる。
【００１２】
本発明のプロジェクタは、前述の電子機器筐体を備えることを特徴とする。
この発明によれば、前述と同様の作用・効果を得ることができる。
【００１３】
【発明の実施の形態】
以下、本発明の実施の一形態を図面に基づいて説明する。
（１）外観構成
図１および図２には、本発明の実施形態に係るプロジェクタ１が示されており、図１は上方前面側から見た斜視図であり、図２は下方背面側から見た斜視図である。
このプロジェクタ１は、光源から射出された光束を画像情報に応じて変調し、スクリーン等の投写面上に拡大投写する光学機器であり、後述する光学ユニットを含む装置本体を内部に収納する外装ケース２および外装ケース２から露出する投写レンズ３を備えている。このプロジェクタ１は、大型店舗内や、パブリックスペース等に設置され、投写画像を大画面表示することによって、多数の観察者に映像情報を提供するものである。
投写レンズ３は、後述する光変調装置としての液晶パネルにより光源から射出された光束を画像情報に応じて変調形成された光学像を拡大投写する投写光学系としての機能を具備するものであり、筒状の鏡筒内に複数のレンズが収納された組レンズとして構成される。
【００１４】
筐体としての外装ケース２は、投写方向に沿った奥行き寸法がこれに直交する幅方向寸法よりも大きな直方体形状をなし、装置本体を覆う面状体１０と、ケース強度を負担するフレーム体とを備えて構成されている。
面状体１０は、装置本体の上部を覆うアッパーケース１１と、装置本体の下部を覆うロアーケース１２と、装置本体の前面部分を覆うフロントケース１３とを備えている。これら各ケース１１〜１３は、射出成形等によって成形された合成樹脂製の一体成形品である。
【００１５】
アッパーケース１１は、装置本体の上部を覆う筐体上面部１１Ａと、この筐体上面部１１Ａの幅方向端部から略垂下する筐体側面部１１Ｂ、１１Ｃと、筐体上面部１１Ａの後端部から略垂下する筐体背面部１１Ｄとを備えている。
このアッパーケース１１の筐体上面部１１Ａと、筐体側面部１１Ｂ、１１Ｃとが交差する稜線部分には、プロジェクタ１の投写方向略中央から後端側に向かって面取加工が施され、稜線に沿って凹状にへこんだ凹部１１１が形成されている。この凹部１１１は、プロジェクタ１を２台スタックさせた際に、２台のプロジェクタ１を連結するパイプ状の支持部材を挿入するために形成されている。
また、筐体側面部１１Ｂには、冷却空気導入用のスリット状の開口部１１２が形成されている。
【００１６】
筐体上面部１１Ａの略中央部分には、プロジェクタ１の起動・調整操作を行うための操作パネル１４が設けられている。この操作パネル１４は、起動スイッチ、画像・音声等の調整スイッチを含む複数のスイッチを備え、プロジェクタ１による投写時には、操作パネル１４中の調整スイッチ等を操作することにより、画質・音量等の調整を行うことができる。
また、筐体上面部１１Ａの投写方向前方には、複数の孔１４１が形成されていて、この内部には、後述する音声出力用のスピーカが収納されている。
これら操作パネル１４およびスピーカは、後述する装置本体を構成する制御基板と電気的に接続され、操作パネル１４による操作信号はこの制御基板で処理される。
【００１７】
筐体背面部１１Ｄは、ほぼ全面が開口された枠状に構成され、この開口部分には、画像信号等を入力するためのコネクタ群１５が露出するとともに、その隣は、光源装置を収納する開口部とされ、通常は、光源装置収納用の蓋部材１６によって覆われている。尚、コネクタ群１５は、後述する制御基板と電気的に接続され、コネクタ群１５を介して入力した画像信号は、制御基板によって処理される。
また、筐体上面部１１Ａの後端部及び筐体背面部１１Ｄの上端部分は、アッパーケース１１から脱着可能な蓋部材１１３が取り付けられていて、詳しくは後述するが、この蓋部材１１３内部には、ＬＡＮボード等の拡張基板を挿入することができるようになっている。
【００１８】
ロアーケース１２は、アッパーケース１１との係合面を中心としてアッパーケース１１と略対称に構成され、筐体底面部１２Ａ、筐体側面部１２Ｂ、１２Ｃ、および筐体背面部１２Ｄを備えている。
そして、筐体側面部１２Ｂ、１２Ｃ、および筐体背面部１２Ｄは、その上端部分でアッパーケース１１の筐体側面部１１Ｂ、１１Ｃ、及び筐体背面部１１Ｄの下端部分と係合する。尚、筐体背面部１２Ｄは、アッパーケース１１の筐体背面部１１Ｄと同様に、ほぼ全面が開口され、係合後の開口部分から前述したコネクタ群１５が露出するとともに、両開口部分に跨って蓋部材１６が取り付けられる。この蓋部材１６については、詳しくは後述する。
また、筐体背面部１２Ｄの角隅部には、さらに開口部が形成されており、この開口部からインレットコネクタ１７が露出している。さらに、筐体側面部１２Ｂには、アッパーケース１１の筐体側面部１１Ｂに形成された開口部１１２に応じた位置に開口部１２２が形成されている。
【００１９】
筐体底面部１２Ａには、プロジェクタ１の後端側略中央に固定脚部１８が設けられているとともに、先端側幅方向両端に調整脚部１９が設けられている。
調整脚部１９は、筐体底面部１２Ａから面外方向に進退自在に突出する軸状部材から構成され、軸状部材自体は、外装ケース２の内部に収納されている。このような調整脚部１９は、プロジェクタ１の側面部分に設けられる調整ボタン１９１を操作することにより、筐体底面部１２Ａからの進退量を調整することができる。
これにより、プロジェクタ１から射出された投写画像の上下位置を調整し、適切な位置に投写画像を形成することができるようになる。
【００２０】
また、筐体底面部１２Ａには、筐体底面部１２Ａの略中央に投写方向に沿って延びる凸条のリブ状部２０と、このリブ状部２０と直交するようにプロジェクタ１の幅方向に沿って延びる複数のリブ状部２１、２２とが形成されている。そして、中間部分の２本のリブ状部２１の間には、詳しくは後述するが、外部から冷却空気を取り込むための吸気用開口部が形成されていて、フィルタ２３によって覆われている。このフィルタ２３で塞がれた吸気用開口部の後端側には、やはり冷却空気取り込み用の吸気用開口部２４が形成されているが、フィルタで覆われる構成とはなっていない。
プロジェクタ１の幅方向に沿って延びるリブ状部２１、２２の端部には、ねじ孔２１Ａが４箇所形成されている。このねじ孔２１Ａには、プロジェクタ１を天井吊り下げとした場合の天井吊り下げ用の金具が装着される。
さらに、筐体底面部１２Ａの装置後端側端縁には、係合部２６が形成されており、この係合部２６には、前述したコネクタ群１５を覆って塵埃等がこれらに付着することを防止するためのカバー部材が取り付けられるようになっている。
【００２１】
フロントケース１３は、前面部１３Ａおよび上面部１３Ｂを備えて構成され、前面部１３Ａの外周部分には、面外方向に延びるリブ１３Ｃが形成されており、アッパーケース１１、ロアーケース１２の投写方向先端側とこのリブ１３Ｃが係合する。
前面部１３Ａは、ロアーケース１２の筐体底面部１２Ａからアッパーケース１１の筐体上面部１１Ａに向かって装置後端側に傾斜しており、その方向は投写面から遠ざかるように傾斜している。このようにしたのは、プロジェクタ１を天井吊り下げにした際に、フロントケース１３の前面部１３Ａが下面を向くので、フロントケース１３に塵埃が付着しにくくなるためであり、通常設置の状態よりもメンテナンスしにくい天井吊り下げの場合を考慮したためである。
【００２２】
このような前面部１３Ａの略中央部分には開口部２７が形成されており、この開口部２７からは投写レンズ３が露出する。
この開口部２７には、隣接してスリット状の開口部２８が形成されており、プロジェクタ１の装置本体内部を冷却した空気は、この開口部２８から排出される。
さらに、前面部１３Ａの角隅部近傍には、孔２９が形成されており、この孔２９からは、不図示のリモートコントローラの操作信号を受信するための受光部３０がある。
尚、本例においては、プロジェクタ１の背面側にも受光部３０が設けられており、図２に示されるようにアッパーケース１１の筐体背面部１１Ｄの角隅部から受光部３０がある。これにより、リモートコントローラを使用する場合、装置前面側、装置背面側のいずれの方向からもリモートコントローラの操作信号を受信することができるようになっている。
【００２３】
上面部１３Ｂは、アッパーケース１１の筐体上面部１１Ａの略中央まで延出し、具体的には図示を略したが、投写レンズ３の基端部近傍まで達している。このようにしたのは、投写レンズ３を変更する際に、フロントケース１３を取り外すだけで投写レンズ３を交換できるようにするためであり、アッパーケース１１およびロアーケース１２からフロントケース１３を取り外すと、上面部１３Ｂが外れて開口され、投写レンズ３の基端部取付部分が露出するようになっている。
【００２４】
（２）内部構成
このような外装ケース２の内部には、図３〜図５に示されるように、プロジェクタ１の装置本体が収納されており、この装置本体は、光学ユニット４、制御基板５、および電源ブロック６を備えて構成される。
(2-1)光学ユニット４の構造
光学エンジンとしての光学ユニット４は、光源装置から射出された光束を画像情報に応じて変調して光学像を形成し、投写レンズ３を介してスクリーン上に投写画像を形成するものであり、図５に示されるように、ライトガイド４０という光学部品用筐体内に、光源装置や、種々の光学部品等を組み込んだものとして構成される。
このライトガイド４０は、下ライトガイド４０１、上ライトガイド４０２から構成され、それぞれは、射出成形等による合成樹脂製品である。
【００２５】
下ライトガイド４０１は、図６に示されるように、後述する光源装置が収納される光源収納部４０１Ａ及び光学部品を収納する部品収納部４０１Ｂを備え、この部品収納部４０１Ｂは、底面部４０１Ｃ及び側壁部４０１Ｄからなる上部が開口された容器状に形成され、側壁部４０１Ｄには、複数の溝部４０１Ｅが設けられている。この溝部４０１Ｅには、光学ユニット４を構成する種々の光学部品が装着され、これにより各光学部品は、ライトガイド４０内に設定された照明光軸上に精度よく配置される。上ライトガイド４０２は、この下ライトガイド４０１に応じた平面形状を有し、下ライトガイド４０１の上面を塞ぐ蓋状部材として構成される。
また、下ライトガイド４０１の光束射出側端部には、金属製の側面略Ｌ字状のヘッド体４０３が配置され、このヘッド体４０３のＬ字水平部分には、後述する光学装置４４が取り付けられるとともに、Ｌ字垂直部分には、投写レンズ３の基端部分が接合固定される。
【００２６】
このようなライトガイド４０内は、図７に示されるように、インテグレータ照明光学系４１と、色分離光学系４２と、リレー光学系４３と、光変調光学系および色合成光学系を一体化した光学装置４４とに機能的に大別される。尚、本例における光学ユニット４は、三板式のプロジェクタに採用されるものであり、ライトガイド４０内で光源から射出された白色光を三色の色光に分離する空間色分離型の光学ユニットとして構成されている。
インテグレータ照明光学系４１は、光源から射出された光束を照明光軸直交面内における照度を均一にするための光学系であり、光源装置４１１、平行化凹レンズ４１２、第１レンズアレイ４１３、第２レンズアレイ４１４、偏光変換素子４１５、および重畳レンズ４１６を備えて構成される。
【００２７】
光源装置４１１は、放射光源としての光源ランプ４１７、リフレクタ４１８、およびリフレクタ４１８の光束射出面を覆うフロントガラス４１９を備え、光源ランプ４１７から射出された放射状の光線を、平行化凹レンズ４１２及びリフレクタ４１８で反射して略平行光線とし、外部へと射出する。本例では、光源ランプ４１７として高圧水銀ランプを採用しているが、これ以外にメタルハライドランプやハロゲンランプを採用することもある。また、本例では、楕円面鏡からなるリフレクタ４１８の射出面に平行化凹レンズ４１２を配置した構成を採用しているが、リフレクタ４１８として放物面鏡を採用することもできる
【００２８】
第１レンズアレイ４１３は、照明光軸方向から見てほぼ矩形状の輪郭を有する小レンズがマトリクス状に配列された構成を具備している。各小レンズは、光源ランプ４１７から射出された光束を部分光束に分割し、照明光軸方向に射出する。各小レンズの輪郭形状は、後述する液晶パネル４４１Ｒ、４４１Ｇ、４４１Ｂの画像形成領域の形状とほぼ相似形をなすように設定される。例えば、液晶パネル４４１Ｒ、４４１Ｇ、４４１Ｂの画像形成領域のアスペクト比（横と縦の寸法の比率）が４：３であるならば、各小レンズのアスペクト比も４：３に設定される。
第２レンズアレイ４１４は、第１レンズアレイ４１３と略同様の構成であり、小レンズがマトリクス状に配列された構成を具備する。この第２レンズアレイ４１４は、重畳レンズ４１６とともに、第１レンズアレイ４１３の各小レンズの像を液晶パネル４４１Ｒ、４４１Ｇ、４４１Ｂ上に結像させる機能を有する。
【００２９】
偏光変換素子４１５は、第２レンズアレイ４１４からの光を１種類の偏光光に変換するものであり、これにより、光学装置４４での光の利用率が高められている。
具体的に、偏光変換素子４１５によって１種類の偏光光に変換された各部分光束は、重畳レンズ４１６によって最終的に光学装置４４の液晶パネル４４１Ｒ、４４１Ｇ、４４１Ｂ上にほぼ重畳される。偏光光を変調するタイプの液晶パネル４４１Ｒ、４４１Ｇ、４４１Ｂを用いたプロジェクタでは、１種類の偏光光しか利用できないため、ランダムな偏光光を発する光源ランプ４１７からの光束の略半分が利用されない。このため、偏光変換素子４１５を用いることにより、光源ランプ４１７から射出された光束を全て１種類の偏光光に変換し、光学装置４４における光の利用効率を高めている。なお、このような偏光変換素子４１５は、例えば、特開平８−３０４７３９号公報に紹介されている。
【００３０】
色分離光学系４２は、インテグレータ照明光学系４１から射出された光束を曲折する反射ミラー４２１と、２枚のダイクロイックミラー４２２，４２３と、反射ミラー４２４とを備え、ダイクロイックミラー４２２、４２３によりインテグレータ照明光学系４１から射出された複数の部分光束を赤（Ｒ）、緑（Ｇ）、青（Ｂ）の３色の色光に分離する機能を有している。尚、本例では、反射ミラー４２４は、下ライトガイド４０１に対して姿勢を調整することができるようになっている。
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
【００３１】
この際、色分離光学系４２のダイクロイックミラー４２２では、インテグレータ照明光学系４１から射出された光束のうち、赤色光成分と緑色光成分とは反射し、青色光成分は透過する。ダイクロイックミラー４２２によって透過した青色光は、反射ミラー４２４で反射し、フィールドレンズ４２５を通って、青色用の液晶パネル４４１Ｂに到達する。このフィールドレンズ４２５は、第２レンズアレイ４１４から射出された各部分光束をその中心軸（主光線）に対して平行な光束に変換する。他の液晶パネル４４１Ｇ、４４１Ｒの光入射側に設けられたフィールドレンズ４２５も同様である。
【００３２】
また、ダイクロイックミラー４２２を反射した赤色光と緑色光のうちで、緑色光は、ダイクロイックミラー４２３によって反射し、フィールドレンズ４２５を通って、緑色用の液晶パネル４４１Ｇに到達する。一方、赤色光は、ダイクロイックミラー４２３を透過してリレー光学系４３を通り、さらにフィールドレンズ４２５を通って、赤色光用の液晶パネル４４１Ｒに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４２５に伝えるためである。なお、リレー光学系４３には、３つの色光のうちの赤色光を通す構成としたが、これに限らず、例えば、青色光を通す構成としてもよい。
【００３３】
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される光変調装置としての液晶パネル４４１Ｒ、４４１Ｇ、４４１Ｂと、各液晶パネル４４１Ｒ、４４１Ｇ、４４１Ｂの後段に配置される視野角補正板４４３および射出側偏光板４４４と、色合成光学系としてのクロスダイクロイックプリズム４４５とを備える。
【００３４】
液晶パネル４４１Ｒ、４４１Ｇ、４４１Ｂは、例えば、ポリシリコンＴＦＴをスイッチング素子として用いたものであり、図８に示されるように、液晶パネル４４１Ｇを例に取れば、パネル本体４４１１と、このパネル本体４４１１を収納する保持枠４４１２とを備えている。尚、以下の説明では、液晶パネル４４１Ｒ、４４１Ｂについては特段言及しないが、液晶パネル４４１Ｇと略同様の構成である。
パネル本体４４１１は、図示を略したが、対向配置される一対の透明基板内に液晶が密封封入されたものであり、一対の透明基板の入射側及び射出側には防塵ガラスが貼り付けられている。
保持枠４４１２は、パネル本体４４１１を収納する凹部を有する部材であり、その四隅部分には、孔４４１３が形成されている。
【００３５】
このような液晶パネル４４１Ｒ、４４１Ｇ、４４１Ｂの前段に配置される入射側偏光板４４２（図７参照）は、色分離光学系４２で分離された各色光のうち、一定方向の偏光光のみ透過させ、その他の光束を吸収するものであり、サファイアガラス等の基板に偏光膜が貼付されたものである。また、基板を用いずに、偏光膜をフィールドレンズ４２５に貼り付けてもよい。
視野角補正板４４３は、基板上に液晶パネル４４１Ｇで形成された光学像の視野角を補正する機能を有する光学変換膜が形成されたものであり、このような視野角補正板４４３を配置することにより、投写画像の視野角が拡大され、かつ投写画像のコントラストが大幅に向上する。
【００３６】
射出側偏光板４４４は、液晶パネル４４１Ｇで光変調された光束のうち、所定方向の偏光光のみ透過させ、その他の光束を吸収するものであり、本例では、２枚の第１偏光板（プリポラライザ）４４４Ｐ及び第２偏光板（アナライザ）４４４Ａから構成されている。このように射出側偏光板４４４を２枚構成としたのは、入射する偏光光を、第１偏光板４４４Ｐ、第２偏光板４４４Ａのそれぞれで按分させて吸収することにより、偏光光で発生する熱を両偏光板４４４Ｐ、４４４Ａで按分させ、それぞれの過熱を抑えるためである。
【００３７】
クロスダイクロイックプリズム４４５は、射出側偏光板４４４から射出され、各色光毎に変調された光学像を合成してカラー画像を形成するものである。
クロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
このクロスダイクロイックプリズム４４５の下面には、プリズム固定板４４５１が紫外線硬化型接着剤により固着されている。このプリズム固定板４４５１は、クロスダイクロイックプリズム４４５の対角線に沿って伸びる脚部４４５２を備え、各脚部４４５２の先端部分には孔４４５３が形成されている。
そして、光学装置４４は、この孔４４５３部分に挿入される不図示のねじ等によって前述したヘッド体４０３のＬ字水平分に接合固定される。
【００３８】
前述した液晶パネル４４１Ｇ、視野角補正板４４３、第１偏光板４４４Ｐ及び第２偏光板４４４Ａは、パネル固定板４４６を介してクロスダイクロイックプリズム４４５の光束入射端面に固定される。
パネル固定板４４６は、平面視略Ｃ字形状の固定部本体４４６１と、この固定部本体４４６１の先端側に腕部４４６２を介して突設されるピン４４６３とを備える。このうち、固定部本体４４６１のＣ字先端には、視野角補正板４４３が固定される台座４４６４と、Ｃ字先端側縁に沿って延出し、視野角補正板４４３の外形位置基準となる位置決め部４４６４Ａが形成されている。
そして、液晶パネル４４１Ｇ、視野角補正板４４３、第１偏光板４４４Ｐ及び第２偏光板４４４Ａを、パネル固定板４４６によってクロスダイクロイックプリズム４４５の光束入射端面に固定する場合、まず、固定部本体４４６１のＣ字内側の空間に第１偏光板４４４Ｐ、第２偏光板４４４Ａを挿入し、バネ部材４４６５によって該空間内に、これら偏光板４４４Ｐ、４４４Ａが一定距離離間配置するように付勢しながら固定する。
【００３９】
次に、視野角補正板４４３の外形位置を位置決め部４４６４Ａにて合わせながら、視野角補正板４４３の端面を台座４４６４に熱伝導性テープまたは接着剤等で貼り付けた後、クロスダイクロイックプリズム４４５の光束入射端面にパネル固定板４４６を固定する。
そして、パネル固定板４４６のピン４４６３に紫外線硬化型接着剤を塗布した後、未硬化の状態で液晶パネル４４１Ｇの孔４４１３を挿通する。
同様の手順で液晶パネル４４１Ｒ、４４１Ｂも、紫外線硬化型接着剤が未硬化の状態でパネル固定板４４６に仮止めしておき、各液晶パネル４４１Ｒ、４４１Ｇ、４４１Ｂに赤、緑、青の各色光を導入し、クロスダイクロイックプリズム４４５の光束射出端面から射出された各色光を観察しながら、液晶パネル４４１Ｒ、４４１Ｇ、４４１Ｂ相互の位置調整を行い、位置調整が終了したら、紫外線硬化型接着剤に紫外線を照射して、液晶パネル４４１Ｒ、４４１Ｇ、４４１Ｂの位置決め固定を行う。
【００４０】
(2-2)制御基板５の構造
制御基板５は、図４及び図５に示すように、光学ユニット４の上側を覆うように配置され、２段に積層配置されるメイン基板５１を備え、上側基板５１１には、演算処理装置等の制御部本体が実装され、下側基板５１２には、各液晶パネル４４１Ｒ、４４１Ｇ、４４１Ｂの駆動用ＩＣが実装されている。また、この制御基板５は、図示を略したが、このメイン基板５１の後端側で接続され、外装ケース２の筐体背面部１１Ｄ、１２Ｄに起立するインターフェース基板を備えている。
インターフェース基板の背面側には、前述したコネクタ群１５が実装されていて、コネクタ群１５から入力する画像情報は、このインターフェース基板を介してメイン基板５１に出力される。
メイン基板５１上の演算処理装置は、入力した画像情報を演算処理した後、液晶パネル駆動用ＩＣに制御指令を出力する。駆動用ＩＣは、この制御指令に基づいて駆動信号を生成出力して液晶パネル４４１を駆動させ、これにより、画像情報に応じて光変調を行って光学像が形成される。
【００４１】
(2-3)電源ブロック６の構造
電源ブロック６は、光学ユニット４に隣接して、プロジェクタ１の外装ケース２の投写方向に沿って延出して設けられ、図示を略したが、電源ユニット及びランプ駆動ユニットを備えている。
電源ユニットは、前述したインレットコネクタ１７に接続された電源ケーブルを通して外部から供給された電力をランプ駆動ユニットや制御基板５等に供給するものである。
ランプ駆動ユニットは、前述した光源装置４１１に安定した電圧で電力を供給するための変換回路であり、電源ユニットから入力した商用交流電流は、このランプ駆動ユニットによって整流、変換されて、直流電流や交流矩形波電流となって光源装置４１１に供給される。
このような電源ブロック６の前方には、図３に示すように、排気ファン６１が設けられており、プロジェクタ１内部の各構成部材を冷却した空気は、この排気ファン６１によって集められ、外装ケース２の開口部２８から装置外部に排出される。
【００４２】
(2-4)冷却構造
このようなプロジェクタ１内部は、光源装置４１１や電源ブロック６の発熱により加熱されるため、内部に冷却空気を循環させて、光源装置４１１、光学装置４４、電源ブロック６を効率的に冷却させる必要がある。このため、本例では、図９に示されるように３つの冷却流路Ｃ１、Ｃ２、Ｃ３が設定されている。
冷却流路Ｃ１は、インテグレータ照明光学系４１を構成する光源装置４１１及び偏光変換素子４１５を冷却する流路であり、図２における吸気用開口部２４の装置内部に設けられるシロッコファン７１で吸引した冷却空気を、ダクト７２によってライトガイド４０の光源収納部４０１Ａの側方から光源装置４１１、偏光変換素子４１５に供給し、これらを冷却する。冷却後の空気は、排気ファン６１によって吸引され、プロジェクタ１の外部に排出される。
【００４３】
冷却流路Ｃ２は、光変調及び色合成を行う光学装置４４を冷却する流路であり、図２におけるフィルタ２３が設けられた位置に形成される吸気用開口部の装置内側に設けられるシロッコファン（後述）で吸引した冷却空気を、光学装置４４の下方から上方に向かって供給して、前記の液晶パネル４４１Ｒ、４４１Ｇ、４４１Ｂや、入射側偏光板４４２、視野角補正板４４３、射出側偏光板４４４を冷却する。冷却後の空気は、メイン基板５１の下面及びアッパーケース１１の筐体上面部１１Ａに沿って流れ、メイン基板５１に実装された回路素子を冷却しながら、排気ファン６１によって外部に排出される。
【００４４】
冷却流路Ｃ３は、電源ブロック６を冷却する流路であり、電源ブロック６の後端側に設けられる吸気ファン６２により、アッパーケース１１の筐体側面部１１Ｂに形成された開口部１１２、ロアーケース１２の筐体側面部１２Ｂに形成された開口部１２２から冷却空気を取り込み、取り込まれた冷却空気の一部は、電源ユニット及びランプ駆動ユニットに供給され、これらを冷却した後、排気ファン６１によって外部に排出される。
【００４５】
（３）蓋部材１６の詳細構造
このような構造のプロジェクタ１の蓋部材１６をより詳細に説明する。図１０は、プロジェクタ１から、蓋部材１６を取り外した状態を示している。図１１、１２は、蓋部材１６の構成を示している。
プロジェクタ１から、蓋部材１６を取り外すことで、光源装置４１１が交換可能とされている。
【００４６】
蓋部材１６は、プロジェクタ１外面側に位置する蓋部材本体１６１と、この蓋部材本体１６１内側に設けられるシールド板１６２とを備えて構成され、取付部材としての取付ねじ１６３により外装ケース２に接合固定され、外装ケース２に設けられる図示しない電磁シールド材と当接している。
【００４７】
なお、取付ねじ１６３は、円盤状の基端部１６３１と、円柱状の中間部１６３２と、円柱状の先端部１６３３とを備えて構成されている。
中間部１６３２の一端に、基端部１６３１が設けられ、他端に先端部１６３３が設けられている。この先端部１６３３の外周面には、螺合用の溝が形成されている。先端部１６３３の太さは、中間部１６３２の太さより大きい。
【００４８】
蓋部材本体１６１は、詳しくは図１３に示されるように、板状部１６１１と、板状部１６１１内側から突設されたリブ１６１２と、板状部１６１１内側に形成され、後述する脱落防止部と対応する取付部１６１３とを備えて、一体成形されて構成されている。
リブ１６１２は、板状部１６１１図示上下方向に直交するように複数形成されている。これらリブ１６１２の交差する部分には、シールド板１６２との位置決めをするためのピン形状の位置決め熱溶着部１６１２Ａが計６カ所形成されている。
【００４９】
取付部１６１３は、取付ねじ１６３を取り付ける部分であり、蓋部材本体１６１の図示左右端に１カ所ずつ形成され、略円柱状の取付部本体１６１４と、この取付部本体１６１４の径方向外側にのびて形成されたリブ１６１５とを備えている。
取付部本体１６１４には、円形の凹部１６１４Ａが形成されている。この凹部１６１４Ａの中心には、蓋部材１６の外表面にまで貫通する挿通孔１６１４Ｂが形成されている。この挿通孔１６１４Ｂの内径は、取付ねじ１６３の先端部１６３３の太さよりも大きい。
リブ１６１５は、３つ形成され、その中央のリブ１６１５には、ピン形状の位置決め部１６１５Ａが形成されている。
【００５０】
一方、シールド板１６２は、外部からの電磁波を遮蔽する金属製の板状部材であり、蓋部材本体１６１の位置決め熱溶着部１６１２Ａと対応する位置に位置決め孔１６２Ａが、取付部１６１３と対応する位置に脱落防止部１６２１が形成されている。
脱落防止部１６２１は、シールド板１６２より蓋部材１６の内側方向に段差をつけて構成されている。
脱落防止部１６２１の取付部本体１６１４と対応する位置には、円形の挿入孔１６２２が、位置決め部１６１５Ａと対応する位置には、円形の挿通孔１６２３が形成されている。
【００５１】
挿入孔１６２２は、詳しくは、図１４に示されるように、取付ねじ１６３が挿入されるものである。この挿入孔１６２２には、この挿入孔１６２２の中心に向かって突起する突起部１６２４が形成されている。突起部１６２４は、挿入孔１６２２の内側部分に１２０度の間隔で３カ所形成され、蓋部材１６の外側方向に向かって垂下した垂下部１６２４Ａと、この垂下部１６２４Ａより挿入孔１６２２の中心に向かって突起する先端部１６２４Ｂとを備えている。
先端部１６２４Ｂの先端部分は、三角形状であり、取付ねじ１６３の先端部１６３３を係止する。
【００５２】
蓋部材１６を使用する際には、まず図１２に示されるように、蓋部材本体１６１およびシールド板１６２に取付ねじ１６３を挿入する。この挿入時には、図１４に示されるように、取付ねじ１６３の先端部１６３３は、突起部１６２４の各先端部１６２４Ｂのなす間隔より太いため、突起部１６２４の垂下部１６２４Ａが折れ曲がり、取付ねじ１６３の先端部１６３３が突起部１６２４の各先端部１６２４Ｂを越えると、垂下部１６２４Ａはその弾性により元の形状に戻る。
【００５３】
蓋部材１６をプロジェクタ１に取り付ける際には、取付ねじ１６３の先端部１６３３と外装ケース２（図１０参照）の図示しないねじ孔とを螺合させて蓋部材１６が、プロジェクタ１に取り付けられる。
【００５４】
一方、蓋部材１６をプロジェクタ１から取り外す際には、図１４に示されるように、外装ケース２（図１０参照）の図示しないねじ孔に対する取付ねじ１６３をゆるめることにより、螺合が解除され、蓋部材１６が外装ケース２（図１０参照）からはずれる。取付ねじ１６３の先端部１６３３は、突起部１６２４の先端部１６２４Ｂに係止される。
【００５５】
（４）実施形態の効果
前述のような本実施形態によれば、次のような効果がある。
(4-1)蓋部材１６にシールド板１６２を備えることにより、このシールド板１６２が蓋部材１６の部分に対応するＥＭＩ発生源である光源装置４１１を遮蔽することができる。また、蓋部材１６を取り外すだけで、光源装置４１１が配置されている部分が開口され、簡単に光源装置４１１の交換を行うことができる。
【００５６】
(4-2) 蓋部材１６を外装ケース２から取り外す際に、取付ねじ１６３を挿入孔１６２２から抜き出す方向に移動させ、蓋部材１６に取り付けられた取付ねじ１６３と外装ケース２との螺合が解除される。そして、抜き出す方向に移動した取付ねじ１６３は、挿入孔１６２２から抜ききらないうちに突起部１６２４の先端部１６２４Ｂに係止されるので、取付ねじ１６３が脱落することがない。
【００５７】
(4-3) 蓋部材１６は、外装ケース２に設けられる電磁シールド材に当接していることで、ＥＭＩ発生源である光源装置４１１から発生する電磁波を蓋部材１６で吸収し、電磁シールド材に逃がすことができ、確実にＥＭＩ対策を行うことができる。
【００５８】
（５）実施形態の変形
尚、本発明は、前述の実施形態に限定されるものではなく、以下に示すような変形をも含むものである。
前記実施形態では、プロジェクタ１は、大型店舗内やパブリックスペース等に設置されるものとして説明していたが、高輝度大画面投影に限らず、本発明を採用しても良い。
【００５９】
前記実施形態では、光変調装置として透過型の液晶パネル４４１Ｒ、４４１Ｇ、４４１Ｂを採用していたが、本発明はこれに限られず、反射型液晶パネルや、マイクロミラーを用いた光変調装置を備えたプロジェクタに本発明を採用してもよい。
前記実施形態では、三板式のプロジェクタ１に本発明を採用していたが、これに限られず、単板式、多板式を問わずプロジェクタに本発明を採用してもよい。その他、本発明の実施の際の具体的な構造及び形状等は、本発明の目的を達成する上で他の構造等としてもよい。
【図面の簡単な説明】
【図１】本発明の実施形態に係るプロジェクタの外観構成を表す概要斜視図。
【図２】前記実施形態におけるプロジェクタの外観構成を表す概要斜視図。
【図３】前記実施形態におけるプロジェクタの内部構成を表す概要斜視図。
【図４】前記実施形態におけるプロジェクタの内部構成を表す概要斜視図。
【図５】前記実施形態におけるプロジェクタの内部構成を表す概要斜視図。
【図６】前記実施形態における光学ユニットを収納するライトガイドの構造を表す概要斜視図。
【図７】前記実施形態における光学ユニット構造を表す模式図。
【図８】前記実施形態における光学装置の構造を表す概要斜視図。
【図９】前記実施形態における冷却流路を表す概要斜視図。
【図１０】前記実施形態におけるプロジェクタから、蓋部材を取り外した状態を示す斜視図。
【図１１】前記実施形態における蓋部材の構成を表す斜視図。
【図１２】前記実施形態における蓋部材の構成を表す分解斜視図。
【図１３】前記実施形態における蓋部材本体を表す斜視図。
【図１４】前記実施形態におけるシールド板の一部を拡大して表す斜視図。
【符号の説明】
１…プロジェクタ、２…外装ケース（電子機器筐体）、１６…蓋部材（電子機器用蓋材）、１６１…蓋部材本体（蓋材本体）、１６２…シールド板、１６２１…脱落防止部、１６２２…挿入孔、１６２４…突起部、１６３…取付ねじ（取付部材）
【図１】
2004205714.tif 000003
【図２】
2004205714.tif 000004
【図３】
2004205714.tif 000005
【図４】
2004205714.tif 000006
【図５】
2004205714.tif 000007
【図６】
2004205714.tif 000008
【図７】
2004205714.tif 000009
【図８】
2004205714.tif 000010
【図９】
2004205714.tif 000011
【図１０】
2004205714.tif 000012
【図１１】
2004205714.tif 000013
【図１２】
2004205714.tif 000014
【図１３】
2004205714.tif 000015
【図１４】
2004205714.tif 000016